【手続補正書】
【提出日】平成25年2月20日(2013.2.20)
【手続補正１】
【補正対象書類名】特許請求の範囲
【補正対象項目名】全文
【補正方法】変更
【補正の内容】
【特許請求の範囲】
【請求項１】
ポリエステル、コポリエステルエーテル、および酸化触媒を含んでなる組成物であって、コポリエステルエーテルが亜鉛化合物並びにポリ（テトラメチレンエーテル）およびポリ（テトラメチレン−コ−アルキレンエーテル）よりなる群から選択される少なくとも１つのポリエーテル部分を含んでなる組成物。
【請求項２】
該コポリエステルエーテルがポリ（エチレンオキシド）グリコール、ポリ（トリメチレンオキシド）グリコール、ポリ（テトラメチレンオキシド）グリコール、ポリ（ペンタメチレンオキシド）グリコール、ポリ（ヘキサメチレンオキシド）グリコール、ポリ（ヘプタメチレンオキシド）グリコール、ポリ（オクタメチレンオキシド）グリコールおよび環式エーテル単量体から誘導されるポリ（アルキレンオキシド）グリコール類よりなる群から選択されるポリ（アルキレンオキシド）グリコールのポリエーテル部分をさらに含んでなる請求項１の組成物。
【請求項３】
該ポリ（テトラメチレン−コ−アルキレンエーテル）の該アルキレンがエチレン、プロピレンおよびブチレンよりなる群から選択される請求項１の組成物。
【請求項４】
該アルキレンがエチレンである請求項３の組成物。
【請求項５】
該ポリエーテル部分の分子量が約２００ｇ／モル〜約５０００ｇ／モルの範囲内である請求項１の組成物。
【請求項６】
該コポリエステルエーテルが全組成物の少なくとも約０．５重量％の量で存在する請求項１の組成物。
【請求項７】
該コポリエステルエーテルが全組成物の約０．５重量％〜約１０重量％の量で存在する請求項１の組成物。
【請求項８】
該ポリエーテル部分が該コポリエステルエーテルの約１５重量％〜約９５重量％の量で存在する請求項１の組成物。
【請求項９】
該ポリエステルがポリエチレンテレフタレート、ポリエチレンナフタレート、ポリエチレンイソフタレート、ポリエチレンテレフタレートの共重合体、ポリエチレンナフタレートの共重合体、ポリエチレンイソフタレートの共重合体、およびそれらの混合物よりなる群から選択される少なくとも１員である請求項１の組成物。
【請求項１０】
該ポリエステルがポリエチレンテレフタレートの共重合体である請求項９の組成物。
【請求項１１】
酸化触媒がｉ）コバルト、銅、ロジウム、ルテニウム、パラジウム、タングステン、オスミウム、カドミウム、銀、タンタル、ハフニウム、バナジウム、チタン、クロム、ニッケル、亜鉛、マンガンおよびそれらの混合物よりなる群から選択される少なくとも１員を含んでなる金属、並びにｉｉ）カルボン酸塩、酸化物、ホウ化物、炭酸塩、塩化物、二酸化物、水酸化物、硝酸塩、燐酸塩、硫酸塩、珪酸塩およびそれらの混合物よりなる群から選択される少なくとも１員を含んでなる対イオンを含んでなる遷移金属塩を含んでなる請求項１の組成物。
【請求項１２】
該カルボン酸塩がネオデカン酸塩、オクタン酸塩、ステアリン酸塩、酢酸塩、ナフタル酸塩、乳酸塩、マレイン酸塩、アセチルアセトン酸塩、リノール酸塩、オレイン酸塩、パルミチン酸塩、および２−エチルヘキサン塩よりなる群から選択される請求項１１の組成
物。
【請求項１３】
該酸化触媒がステアリン酸コバルトおよび酢酸コバルトよりなる群から選択される少なくとも１員である請求項１の組成物。
【請求項１４】
該酸化触媒が全組成物の少なくとも約１０ｐｐｍの量で存在する請求項１の組成物。
【請求項１５】
該酸化触媒が全組成物の約２５ｐｐｍ〜約５００ｐｐｍの量で存在する請求項１の組成物。
【請求項１６】
該亜鉛化合物が酸化亜鉛、水酸化亜鉛、亜鉛アルコキシド、脂肪族酸の亜鉛塩、酢酸亜鉛、シュウ酸亜鉛、クエン酸亜塩、炭酸亜鉛、ハロゲン化亜鉛および亜鉛の錯化合物よりなる群から選択される請求項１の組成物。
【請求項１７】
該亜鉛化合物が酢酸亜鉛である請求項１の組成物。
【請求項１８】
該亜鉛化合物が全組成物の約１ｐｐｍ〜約１０ｐｐｍの量で存在する請求項１の組成物。
【請求項１９】
該亜鉛化合物が全組成物の約２ｐｐｍ〜約８ｐｐｍの量で存在する請求項１の組成物。
【請求項２０】
添加剤をさらに含んでなる請求項１の組成物。
【請求項２１】
添加剤が熱安定剤、粘着防止剤、酸化防止剤、帯電防止剤、紫外線吸収剤、顔料、染料、充填剤、枝分かれ剤およびそれらの混合物よりなる群から選択される１員を含んでなる請求項２０の組成物。
【請求項２２】
請求項１の組成物を含んでなる製造製品。
【請求項２３】
製品がフィルム、シート、チューブ、パイプ、繊維、容器プリフォーム、ブロー成型品、熱成形製品および柔軟性バッグよりなる群から選択される請求項２２の製造製品。
【請求項２４】
製品が組成物の１つもしくはそれ以上の層を含んでなる請求項２２の製品。
【請求項２５】
ａ）亜鉛化合物の存在下でポリエステル前駆体をアルキレングリコールおよびポリ（アルキレンオキシド）グリコールとエステル化またはエステル交換してコポリエステルエーテルを製造し、ここでコポリエステルエーテルがポリ（テトラメチレンエーテル）およびポリ（テトラメチレン−コ−アルキレンエーテル）よりなる群から選択される少なくとも１つのポリエーテル部分を含んでなり、
ｂ）コポリエステルエーテルをポリエステルおよび酸化触媒と配合し、
ｃ）配合物を溶融して均質な配合物を製造し、そして
ｄ）溶融した配合物を冷却しそして切断して固体ペレットとする
ことを含んでなる酸素捕捉樹脂を製造する方法。
【請求項２６】
ポリエステル前駆体が純粋なテレフタル酸およびテレフタル酸ジメチルよりなる群から選択される請求項２５の方法。
【請求項２７】
アルキレングリコールがエチレングリコール、プロピレングリコールおよびブチレングリコールよりなる群から選択される請求項２５の方法。
【請求項２８】
アルキレングリコールがエチレングリコールである請求項２５の方法。
【請求項２９】
該亜鉛化合物が酸化亜鉛、水酸化亜鉛、亜鉛アルコキシド、脂肪族酸の亜鉛塩、酢酸亜鉛、シュウ酸亜鉛、クエン酸亜鉛、炭酸亜鉛、ハロゲン化亜鉛および亜鉛の錯化合物よりなる群から選択される請求項２５の方法。
【請求項３０】
該亜鉛化合物が酢酸亜鉛である請求項２５の方法。
【請求項３１】
該酸化触媒がｉ）コバルト、銅、ロジウム、ルテニウム、パラジウム、タングステン、オスミウム、カドミウム、銀、タンタル、ハフニウム、バナジウム、チタン、クロム、ニッケル、亜鉛、マンガンおよびそれらの混合物よりなる群から選択される少なくとも１員を含んでなる金属、並びにｉｉ）カルボン酸塩、酸化物、ホウ化物、炭酸塩、塩化物、二酸化物、水酸化物、硝酸塩、燐酸塩、硫酸塩、珪酸塩およびそれらの混合物よりなる群から選択される少なくとも１員を含んでなる対イオンを含んでなる遷移金属塩を含んでなる請求項２５の方法。
【請求項３２】
該カルボン酸塩がネオデカン酸塩、オクタン酸塩、ステアリン酸塩、酢酸塩、ナフタル酸塩、乳酸塩、マレイン酸塩、アセチルアセトン酸塩、リノール酸塩、オレイン酸塩、パルミチン酸塩、および２−エチルヘキサン塩よりなる群から選択される請求項３１の方法。
【請求項３３】
該酸化触媒がステアリン酸コバルトおよび酢酸コバルトよりなる群から選択される少なくとも１員である請求項２５の方法。
【請求項３４】
ａ）亜鉛化合物の存在下でポリエステル前駆体をアルキレングリコールおよびポリ（アルキレンオキシド）グリコールとエステル化またはエステル交換してコポリエステルエーテルを製造し、ここでコポリエステルエーテルがポリ（テトラメチレンエーテル）およびポリ（テトラメチレン−コ−アルキレンエーテル）よりなる群から選択される少なくとも１つのポリエーテル部分を含んでなり、
ｂ）コポリエステルエーテルをポリエステルおよび酸化触媒と配合して混合物を製造し、ｃ）混合物を溶融し、そして
ｄ）混合物を含んでなる製品を製造する
ことを含んでなるポリエステル製品の気体透過性を減少する方法。
【請求項３５】
ポリエステル前駆体が純粋なテレフタル酸およびテレフタル酸ジメチルよりなる群から選択される請求項３４の方法。
【請求項３６】
アルキレングリコールがエチレングリコール、プロピレングリコールおよびブチレングリコールよりなる群から選択される請求項３４の方法。
【請求項３７】
アルキレングリコールがエチレングリコールである請求項３４の方法。
【請求項３８】
該亜鉛化合物が酸化亜鉛、水酸化亜鉛、亜鉛アルコキシド、脂肪族酸の亜鉛塩、酢酸亜鉛、シュウ酸亜鉛、クエン酸亜鉛、炭酸亜鉛、ハロゲン化亜鉛および亜鉛の錯化合物よりなる群から選択される請求項３４の方法。
【請求項３９】
該亜鉛化合物が酢酸亜鉛である請求項３４の方法。
【請求項４０】
該酸化触媒がｉ）コバルト、銅、ロジウム、ルテニウム、パラジウム、タングステン、
オスミウム、カドミウム、銀、タンタル、ハフニウム、バナジウム、チタン、クロム、ニッケル、亜鉛、マンガンおよびそれらの混合物よりなる群から選択される少なくとも１員を含んでなる金属、並びにｉｉ）カルボン酸塩、酸化物、ホウ化物、炭酸塩、塩化物、二酸化物、水酸化物、硝酸塩、燐酸塩、硫酸塩、珪酸塩およびそれらの混合物よりなる群から選択される少なくとも１員を含んでなる対イオンを含んでなる遷移金属塩を含んでなる請求項３４の方法。
【請求項４１】
該カルボン酸塩がネオデカン酸塩、オクタン酸塩、ステアリン酸塩、酢酸塩、ナフタル酸塩、乳酸塩、マレイン酸塩、アセチルアセトン酸塩、リノール酸塩、オレイン酸塩、パルミチン酸塩、および２−エチルヘキサン塩よりなる群から選択される請求項４０の方法。
【請求項４２】
該酸化触媒がステアリン酸コバルトおよび酢酸コバルトよりなる群から選択される少なくとも１員である請求項３４の方法。